(57)【要約】【課題】  避難スペースとして利用する部屋を日常的にも使用できると共に、侵入者がドアの存在に気付きにくく、部屋への侵入を試みるおそれが少ない隠れ部屋のドア構造を提供する事を目的とする。【解決手段】  第１の部屋と第２の部屋とを区画する壁面の出入口に設けられたドア枠と、このドア枠に開閉自在に取り付けられるドアからなるものであって、前記ドア枠は、壁面と段差なく形成すると共に壁面と同じ外装を施し、前記ドアは、室内側にのみ引き手を設けると共に、ドアを閉じる方向に付勢する付勢部材を室内側に取付け、さらに、閉じた状態で壁面と段差なく形成すると共に壁面と同じ外装を施し、ドア枠とドア間に、鍵穴を室外側に有しないロック装置を設けたことを特徴とする隠れ部屋のドア構造。【選択図】図１
2006316435.tif 000002
【特許請求の範囲】
【請求項１】
隠れ部屋のドアを隠れ部屋内に回転中心を有するヒンジにより内開きになるように取り付けると共にドア内側に引き手を設け、
このドアを閉鎖する方向に付勢するドア付勢手段を隠れ部屋内に設け、
そしてこのドアの大きさを出入口の外側の開口面と同じに形成すると共に、出入口の内周の垂直面を削ってドア逃げ部を形成し、ドア閉鎖時にドアの表側と隠れ部屋の外側の壁を平坦にしたことを特徴とする隠れ部屋のドア構造。
【請求項２】
隠れ部屋のドアを隠れ部屋内に回転中心を有するヒンジにより内開きになるように取り付けると共にドア内側に引き手を設け、
このドアを閉鎖する方向に付勢するドア付勢手段を隠れ部屋内に設け、
さらにドアの表側に家具状構造体を一体的に取り付けたことを特徴とする隠れ部屋のドア構造。
【請求項３】
隠れ部屋のドアを隠れ部屋内に回転中心を有するヒンジにより内開きになるように取り付けると共に、このドアを閉鎖する方向に付勢するドア付勢手段を隠れ部屋内に設け、
ドアを透明な部材で形成すると共にドア内側に家具状構造体を一体的に取り付け、この家具状構造体の扉を隠れ部屋側に形成して、この扉に引き手を取り付けたことを特徴とする隠れ部屋のドア構造。
【請求項４】
前記扉を隠れ部屋内から外側を透視可能なハーフミラー状に形成した事を特徴とする請求項３記載の隠れ部屋のドア構造。
【請求項５】
前記家具状構造体の内部に、展示物を固定する固定手段を設けたことを特徴とする請求項３記載の隠れ部屋のドア構造。
【請求項６】
前記ドアにロック装置を設けたことを特徴とする請求項１乃至３記載の隠れ部屋のドア構造。
【請求項７】
前記ロック装置は電気式ロック装置により構成し、この電気式ロック装置を施錠または開錠するロック制御装置を隠れ部屋内に配置したことを特徴とする請求項６記載の隠れ部屋のドア構造。
【請求項８】
前記ロック装置は電気式ロック装置により構成し、この電気式ロック装置を施錠または開錠するロック制御装置を隠れ部屋内に配置すると共にロック制御装置に認証機能を設けた認証機能付きロック制御装置を隠れ部屋の外に配置したことを特徴とする請求項６記載の隠れ部屋のドア構造。
【請求項９】
前記ドアを耐衝撃性部材により形成したことを特徴とする請求項１乃至３記載の隠れ部屋のドア構造。
【請求項１０】
前記ドアのフロント面の隠れ部屋側に出入口の隠れ部屋側に当接するつば部を設けたことを特徴とする請求項１乃至３記載の隠れ部屋のドア構造。
【発明の詳細な説明】
【技術分野】
【０００１】
本発明は、強盗などに襲われた際に避難して身を守るための部屋に取り付けられる隠れ部屋のドア構造に関するものである。
【背景技術】
【０００２】
近年の犯罪の増加に伴って凶悪な事件が頻発している。特に家人や店員のいる住宅や店舗に侵入し、金庫等を開けさせたり暗証番号を聞き出すなどして金品を奪取するような犯罪の増加は、被害額の増加だけでなく殺傷事件につながる。そのため、防犯意識が高まってきており、自己防衛を図るための防犯用具の需要が増えつつある。
【０００３】
不審者の浸入を察知した際に逃げ込んで身を守る防犯装置として、海外の犯罪先進国においてセーフルームやパニックルームと呼ばれる避難装置が知られており、本出願人によってこのような避難スペースを提供する避難装置についてすでに特許出願がなされている（特願２００３−３５６００１）。
【０００４】
この避難装置はワードローブのような家具調の外観を有しており、一見して避難装置であることが分かり難く構成されている。また、本出願人によって耐衝撃性を有するドアについてすでに特許出願がなされている（特願２００３−３６１６３５）。この耐衝撃性ドアは、一般住宅の部屋のドアと付替えることで、その部屋を避難スペースとして利用できる。
【０００５】
しかし、タンスやワードローブのような家具は侵入者にとって探索の対象となるため、扉に鍵がかかっていて開かなければこじ開けようとするおそれがあり、家具調の狭い避難装置内に避難しても、扉をこじ開けようとする侵入者に対する恐怖感やストレスは非常に大きいものとなる。また、部屋のドアを耐衝撃性ドアに付替えて避難部屋に構成しても、開かないドアに対して侵入者が攻撃を加えたり、ドアをこじ開けたりして侵入を試みるおそれがあって恐怖感を感じたり強いストレスを受けることになる。
【発明の開示】
【発明が解決しようとする課題】
【０００６】
そこで本発明は、避難スペースとして利用する部屋を日常的にも使用できると共に、侵入者がドアの存在に気付きにくく、部屋への侵入を試みるおそれが少ない隠れ部屋のドア構造を提供する事を目的とする。
【課題を解決するための手段】
【０００７】
前記課題を解決するために、請求項１記載のごとく、隠れ部屋のドアを隠れ部屋内に回転中心を有するヒンジにより内開きになるように取り付けると共にドア内側には引き手を設けて、このドアを閉鎖する方向に付勢するドア付勢手段を隠れ部屋内に設け、そしてこのドアの大きさを出入口の外側の開口面と同じに形成すると共に、出入口の内周の垂直面を削ってドア逃げ部を形成し、そしてドア閉鎖時にドアの表側と隠れ部屋の外側の壁を平坦にした。
【０００８】
請求項２記載のごとく、隠れ部屋のドアを隠れ部屋内に回転中心を有するヒンジにより内開きになるように取り付けると共にドア内側に引き手を設け、このドアを閉鎖する方向に付勢するドア付勢手段を隠れ部屋内に設け、さらにドアの表側に家具状構造体を一体的に取り付けた。
【０００９】
請求項３記載のごとく、隠れ部屋のドアを隠れ部屋内に回転中心を有するヒンジにより内開きになるように取り付けると共に、このドアを閉鎖する方向に付勢するドア付勢手段を隠れ部屋内に設け、ドアを透明な部材で形成すると共にドア内側に家具状構造体を一体的に取り付け、この家具状構造体の扉を隠れ部屋側に形成して、この扉に引き手を取り付けた。
【００１０】
請求項４記載のごとく、前記扉を隠れ部屋内から外側を透視可能なハーフミラー状に形成した。
【００１１】
請求項５記載のごとく、前記家具状構造体の内部に、展示物を固定する固定手段を設けた。
【００１２】
請求項６記載のごとく、前記ドアにロック装置を設けた。
【００１３】
請求項７記載のごとく、前記ロック装置は電気式ロック装置により構成し、この電気式ロック装置を施錠または開錠するロック制御装置を隠れ部屋内に配置した。
【００１４】
請求項８記載のごとく、前記ロック装置は電気式ロック装置により構成し、この電気式ロック装置を施錠または開錠するロック制御装置を隠れ部屋内に配置すると共にロック制御装置に認証機能を設けた認証機能付きロック制御装置を隠れ部屋の外に配置した。
【００１５】
請求項９記載のごとく、前記ドアを耐衝撃性部材により形成した。
【００１６】
請求項１０記載のごとく、前記ドアのフロント面の隠れ部屋側に出入口の隠れ部屋側に当接するつば部を設けた。
【発明の効果】
【００１７】
本発明は、請求項１記載のごとく、隠れ部屋に内開きにドアを取り付けて内側に引き手を設け、付勢手段を備えると共に、出入口の内周にドア逃げ部を形成して、ドア閉鎖時にドアの表側と隠れ部屋の外側の壁を平坦にしたことにより、普段は支障なく日常的に隠れ部屋を使用できると共に、ドア閉鎖時に侵入者にはそこにドアがあることを分かり難くして部屋の存在に気付かせ難くして部屋への侵入を試みることを防ぐことができる。
【００１８】
請求項２記載のごとく、内開きのドアの表側に家具状構造体を一体的に形成し、隠れ部屋側にはドアの引き手とドア付勢手段とを設けたことにより、普段は支障なく使用できる隠れ部屋のドアであって、ドア閉鎖時には家具状構造体のために侵入者には家具であるように誤認させてそこにドアがあることを分かり難くすると共に、部屋の存在に気付かせ難くすることで侵入者が隠れ部屋への侵入を試みる可能性を低くすることができる。
【００１９】
請求項３記載のごとく、内開きのドアの隠れ部屋側に家具状構造体を一体的に形成し、ドアを透明な部材で形成すると共に隠れ部屋側に家具状構造体の扉を形成して、この扉に引き手を設けたことにより、普段は支障なくドアを開閉できて隠れ部屋として使用でき、ドア閉鎖時には侵入者に家具であるように誤認させてそこにドアがあることを分かり難くすることで部屋の存在に気付かせ難くして、侵入者が隠れ部屋へ侵入を試みる可能性を低くすることができる。
【００２０】
請求項４記載のごとく、家具状構造体の扉をハーフミラー状に形成したことにより、室外からは鏡状に見えて家具に高級感を持たせることができる一方、隠れ部屋内からは室外を透視して部屋の様子を観察できると共に、侵入者を監視することができる。
【００２１】
請求項５記載のごとく、家具状構造体の内部に、展示物を固定する固定手段を固設したことにより、ドアの開閉によって家具状構造体の内部に展示した展示物が動いてずれたりすることがなく支障なく日常的に使用できると共に、ドア閉鎖時には侵入者に家具であるように誤認させ易くすることができる。
【００２２】
請求項６記載のごとく、ドアにロック装置を設けたことにより、隠れ部屋に逃れた避難者が施錠することで、室外から侵入されるのを防ぐことができる。
【００２３】
請求項７記載のごとく、ロック装置を電気式ロック装置で構成して、隠れ部屋内にこのロック装置を制御するロック制御装置を設けたことにより、外側には鍵穴を設ける必要がなくドアの外側を平坦に形成できると共に、鍵穴に鍵をさして施錠する手間を要せず、緊急時に迅速に施錠して身を守ることができる。
【００２４】
請求項８記載のごとく、隠れ部屋の外に認証機能付きロック制御装置を設けたことにより、子供などが隠れ部屋内に入って施錠して閉じ込められたりしても隠れ部屋の外から開錠することができて安全であると共に、外出時などに室内に貴重品等を保管して施錠しておき、貴重品等の保管庫として使用することもできる一方、侵入者にはドアの開錠ができない。
【００２５】
請求項９記載のごとく、ドアを耐衝撃性部材で形成したことにより、軽量で耐衝撃性に優れたドアとすることができ、安心して避難することができる。
【００２６】
請求項１０記載のごとく、ドアのフロント部の隠れ部屋側に出入口に当接するつば部を設けたことにより、ドア閉鎖時にドアと出入口の外側との壁をより精密に平坦な状態にして扉の存在に気付かれ難くすると共に、隠れ部屋内の光が室外側に洩れることがなく、部屋の存在に気付かれ難くすることができる。
【発明を実施するための最良の形態】
【００２７】
以下、図１乃至図１１を参照して本発明に係る隠れ部屋のドア構造について説明する。まず、図１乃至図３を参照して本発明の隠れ部屋のドア構造の第１の実施形態について説明する。図１は、第１の実施形態の隠れ部屋のドア構造の断面図である。
【００２８】
第１の実施形態の隠れ部屋のドア構造は、第１の部屋Ａ（隠れ部屋室外側）と第２の部屋Ｂ（隠れ部屋室内側）とを区画する壁２と、壁２の出入口に設けられるドア枠３と、このドア枠３にヒンジ４を介して開閉自在に取り付けられるドア１ａとにより構成される。
【００２９】
ドア１ａは、隠れ部屋内に回転中心を有するようにドア枠３に取り付けられヒンジ４によって内開きに取付け、室内側にのみ引き手５を設けると共に、ドア１ａを閉める方向に付勢する付勢部材としてドアクローザ６を室内側に設ける。さらに、ドア１ａに電気式ロック装置１０を内臓して少なくとも室外側には鍵穴を設けない構成とし、ドア１ａの室外側面を平坦に形成すると共にドア１ａの室外側面には壁２と同じ外装を施す。また、ドア１ａのフロント部２０の室内側にはドア枠３に係止させるためのつば部２１を突設する。
【００３０】
ドア１ａは、ポリカーボネートなどの耐衝撃性部材により構成され、壁２の出入口の室外側の開口面と同じ大きさに形成される。例えば、ポリカーボネート板を加工してドア１ａを形成したり、又はステンレス板、チタン板及び鋼板などの金属板とポリカーボネート板とでケイ酸カルシウムなどからなる断熱材を挟んで層状構造とし、耐衝撃性に優れると共に防刃性、耐火性及び耐熱性を備えた層状構造の耐衝撃性部材を構成して、この多層構造の耐衝撃性部材によりドア１ａを形成する。
【００３１】
付勢部材はドアクローザ６に限られず、ドア１ａを付勢して閉じた位置に保持可能であればよい。ドアクローザ６は、ドア１ａを実線で図示したドア閉鎖位置に付勢して保持する一方で、破線で示した開放位置に保持することもできるため日常の使用には便利で好ましい実施形態である。このドアクローザ６は、壁２又はドア枠３の室内側の側面や開口面の内周部に取り付けられる。
【００３２】
本実施形態における電気式ロック装置１０は、電源１１と、施錠及び開錠信号を受信する受信部１２と、ロックボルト１３を駆動する駆動部１４と、施錠又は開錠信号を送信するロック制御装置１５とからなる。ロック制御装置１５は第２の部屋Ｂに設けられ、このロック制御装置１５から送信された信号を受信部１２が受け取ると、駆動部１４によってロックボルト１３がフロント部２０から飛び出し、ドア１ａのフロント部２０に対向して設けられたドア枠３の受穴２６にこのロックボルト１３が挿通されてドア１ａが施錠されるか、又はロックボルト１３が引き込まれてドア１ａが開錠される。
【００３３】
ドア枠３は、壁２との接続部が平坦になるように壁２に取り付けられて室外側面を滑らかに形成すると共に、ドア枠３と壁２とに同じ外装を施す。また、ドア１ａのフロント部２０に対向するドア枠３の側面に逃げ部２５を形成する。逃げ部２５は、受穴２６を設けたドア枠３の側面を室外側から室内側へ向かって徐々に深く削って傾斜を設けて形成される。この傾斜は、ドア１ａを開閉するときにフロント部２０の室外側端縁がドア枠３の側面に当たらないように形成される。
【００３４】
次に、図２及び図３を参照して第１の実施形態の隠れ部屋のドア構造の設置例について説明する。図２は第１の実施形態の隠れ部屋のドア構造の設置例を示す図であり、図３は第１の実施形態の隠れ部屋のドア構造の別の使用例を示す図である。
【００３５】
図２及び図３は、第１の部屋Ａ（隠れ部屋室外側）から見たドア１ａを示している。図２では、ドア１ａの室外側には引き手５や鍵穴を設けておらず、ドア１ａ、壁２及びドア枠３には同じ外装が施され、それらの境界も平滑に形成されているためドア１ａとドア枠３との境界線がわかり難く、ドアの存在に気付き難くなっている。また、図３では、ドア１ａの第１の部屋側に家具Ｃや額縁Ｄ等を配置してドア１ａとドア枠３との境界線を隠しているため、さらにドア１ａの存在に気付き難い。
【００３６】
前記のごとく構成した隠れ部屋のドア構造は、壁２と段差なく形成されたドア枠３に取り付けられるドア１ａの室内側にのみ引き手５を設けると共に、鍵穴を室外側に有しないロック装置を設けてドア１ａの室外側面を平坦に形成する一方、ドア１ａを閉じる方向に付勢する付勢部材を室内側に設けて、さらにドア枠３に逃げ部２５を形成してドア１ａを閉じた時のドア枠３とドア１ａとの隙間を小さくすると共に、ドア１ａのフロント部２０の室内側端縁にドア枠３に当接するつば部２１を設けて高い精度でドア１ａとドア枠３との段差を無くして平坦に形成し、ドア１ａとドア枠３とに壁２と同じ外装を施したことにより、ドア１ａ、壁２及びドア枠３とを平滑に形成して、そこにドア１ａがあることを分かり難くして部屋の存在に気付かせないようにすることで部屋へ侵入を試みることを防ぐことができる、という効果を奏する。
【００３７】
次に、図４乃至図５を参照して本発明の隠れ部屋のドア構造の第２の実施形態について説明する。図４は、第２の実施形態の隠れ部屋のドア構造の断面図である。ドア１ｂの材質、ドア枠３への取付け方法、電気式ロック装置１０などの構成は第１の実施形態と同一のため説明を省略する。
【００３８】
本実施形態に係るドア１ｂは、ドア１ｂの第１の部屋Ａ側（隠れ部屋室外側）に家具状構造体３０が一体的に形成されており、家具状構造体３０はドア１ｂを背面部としている。また、ドア１ｂを開閉する際に家具状構造体３０がドア枠３と衝突することがないように、家具状構造体３０の側面は、その前面を背面よりも狭く傾斜させる。この家具状構造体３０は、例えばキュリオケースやコレクションケースなどの、奥行きが浅く軽量なものがよい。この場合、家具状構造体３０の前面は透明な材質で構成し、内部に飾る物品等を固定する固定手段３８を設ける。
【００３９】
図５は、第２の実施形態の隠れ部屋のドア構造の設置例を示す図である。本設置例においては、ドア１ｂの室外側に家具状構造体３０を一体的に形成しているため、そこにドア１ｂがあることに気付き難い。
【００４０】
前記のごとく構成した隠れ部屋のドア構造は、ドア１ｂにキュリオケースなどの家具状構造体３０を一体的に取付けて第１の部屋側（隠れ部屋室外側）に突出させているため、ドア１ｂが他の家具等と調和し、侵入者がこのドア１ｂを家具であると誤認してそれがドアであることに気付き難い。
【００４１】
次に、図６乃至図８を参照して本発明の隠れ部屋のドア構造の第３の実施形態について説明する。図６は、第３の実施形態の隠れ部屋のドア構造の断面図である。本実施形態においては、ドア１ｃの室内側に家具状構造体３０を一体的に形成している。
【００４２】
ドア１ｃは、透明な耐衝撃性部材からなる表板２２をドアフレーム２３に嵌め込み、このドアフレーム２３に家具状構造体３０を取り付けて構成する。ドアフレーム２３には外装材２４を取り付ける。また、ドアフレーム２３のフロント部２０の室内側端縁につば部２１を形成する。このドア１ｃを隠れ部屋内に回転中心を有するヒンジ４を介してドア枠３に取り付ける。
【００４３】
家具状構造体３０は、ドアフレーム２３に取り付けられる側面板３１と、側面板３１にヒンジ３３を介して取り付けられる扉板３２と、図示しない天井板及び底板により構成される。側面板３１はビス３４によってドアフレーム２３に固定され、扉板３２には引き手３５ａが取り付けられている。また、扉板３２の室外側には内装材３６を取り付ける。
【００４４】
側面板３１、扉板３２及び天井板や底板など家具状構造体３０はポリカーボネート等のプラスチックにより充分な強度を備えると共に軽量に形成し、またドアフレーム２３もアルミなどで形成することにより、軽量で十分な強度を有するドア１ｃを構成する。
【００４５】
また、家具状構造体３０の内部には、展示する物がドア１ｃの開閉によって動いてずれないように展示物を固定する固定手段３８を設ける。この固定手段３８は、扉板３２に額縁を取り付けたり、額縁を取り付ける係止具を設けたり、また内部に設置される棚板３７に固設したフォトスタンド、時計などを置く台座や小物を入れておくトレイなどにより構成される。
【００４６】
図７に本実施形態の別の実施例を示す。前述の第１の実施例において家具状構造体３０の扉板３２は両開きに構成されているが、本図に示すように、片開きに構成してもよい。このとき、扉板３２は引き手３５ｂによって開閉し、ドア１ｃは引き手３５ｃによって開閉する。また、扉板３２の内側面はハーフミラー状に形成されており、室外側から見ると鏡になって家具状構造体３０に高級感をもたせることができる一方、室内からは室外を透視することができて隠れ部屋に避難した時に室外の様子観察し、侵入者があるときはその動きを監視することができる。扉板３２の材質としては、軽量なアクリルやポリカーボネート等をハーフミラー状に加工したものを用いるとよい。
【００４７】
図８は、隠れ部屋のドア構造の第３の実施形態を第１の部屋（隠れ部屋室外側）から見た正面図である。ドア１ｃを閉じる方向に付勢する付勢部材はドアクローザ６により構成されている。ドアクローザ６は、隠れ部屋内に突出して設けられた家具状構造体３０と干渉しないように、ドア１ｃの上端に取り付けられている。また、電気式ロック装置１０はドアフレーム２３に内蔵されている。家具状構造体３０には棚板３７が設けられ、この棚板３７には固定手段３８として写真立て３８ａ、小物を入れるトレイ３８ｂ及び額縁３８ｃが取り付けられている。扉板３２を開いて隠れ部屋内から展示する物をいれ、この固定手段３８に固定して展示することができる。
【００４８】
前記のごとく構成した隠れ部屋のドア構造は、ドア１ｃに家具状構造体３０を一体的に取り付けて第２の部屋（隠れ部屋側）に突出させており、侵入者はドア１ｃを家具と誤認し易くドアであることに気付き難いため、そこに部屋があることが分からず、部屋への侵入を試みるのを防ぐことができる。また、展示物は固定手段３８によって固定されているためドア１ｃの開閉によって動いてずれたりすることがなく、家具状構造体３０は隠れ部屋内から開閉する構成のため、家具状構造体３０の展示物を持ち去られることがない。さらに、家具状構造体３０は棚板３７に載せるものの重さに耐えるだけの強度でよく、コストを抑えることができる。
【００４９】
家具状構造体３０の具体例としては、キュリオケースやコレクションケースがある。また、薄型のテレビなどを棚板３７に戴置して第１の部屋Ａ側からテレビが見れるように構成することもでき、この場合、家具状構造体３０の底部にキャスターを取り付けて、重さによって歪まないようにすると共にドア１ｂの開閉を補助するように構成する。以上の例は、本実施形態の家具状構造体３０を上記したキュリオケースやコレクションケースに限定する主旨ではない。
【００５０】
次に、図９乃至図１０を参照して本発明の隠れ部屋のドア構造の第４の実施形態について説明する。図９は第４の実施形態の隠れ部屋のドア構造の断面図であり、図１０は第４の実施形態の隠れ部屋のドア構造の正面図である。
【００５１】
ドア１ｄは、半透明板２７と耐衝撃性板２８とを重ね合わせ、半透明部材２７を室外側に配置してドアフレーム２３に取り付けて構成されている。半透明板２７は、一方からは光が反射して鏡のように見え、他方からは光が透過するように形成されたものである。そして、耐衝撃性板２８は透明なポリカーボネートにより形成し、この耐衝撃性板２８の室内側に電気式ロック装置１０を取り付ける。
【００５２】
このように構成した隠れ部屋のドア構造は、半透明板２７が壁面に一体的に形成された全身鏡のように見えて第２の部屋Ｂへの出入口であることが分かり難いうえに、室外側からは全身鏡として使用でき、室内側からはドア１ｄを透視して室外側を観察することができる。
【００５３】
また第４の実施形態の別の実施例として、耐衝撃性板２８は、ステンレス板、チタン板及び鋼板などの金属板とポリカーボネート板とでケイ酸カルシウムなどからなる断熱材を挟んで多層に形成した物を用いてもよい。この場合は半透明板２７の代わりに普通の鏡を用いることができる。
【００５４】
このように構成した隠れ部屋のドア構造は、室外側からは鏡として見えるため第２の部屋Ｂへの出入口であることが分かり難く、より耐衝撃性能に優れた耐衝撃板２８を用いて身を守ることができる。
【００５５】
また、第４の実施形態のさらに別の実施例として、耐衝撃性板２８を透明なポリカーボネートの板で形成し、このポリカーボネート板の片面側を半透明状に加工した物を用いてドア１ｄを形成してもよい。
【００５６】
このように構成した隠れ部屋のドア構造は、室外側からは鏡として見えるため第２の部屋への出入口であることが分かり難いうえに、鏡を割られるおそれがなく、しかも室内側からはドア１ｄを透視して室外側を観察することができる。
【００５７】
前記各実施形態において、施錠又は開錠信号を送信するロック制御装置１５は第２の部屋Ｂに設けられていたが、このロック制御装置１５を第１の部屋Ａなど第２の部屋Ｂ以外の場所に配置してもよい。
【００５８】
この場合、ロック制御装置１５の操作には暗証番号を確認したり指紋や虹彩などの生体認証を行なう認証機能を取り付けて認証機能付きロック制御装置（図示せず）とする。また、認証機能付きロック制御装置を第１の部屋Ａに設ける場合には、本発明の隠れ部屋のドア構造の付近には設けないようにしたり、一見してロック制御装置であることが分からないような外見にすることが好ましい。
【００５９】
第２の部屋Ｂ以外の場所に認証機能付きロック制御装置を設けることにより、外出する際などに第２の部屋Ｂに貴重品を置いて施錠することで、不在時に泥棒などが侵入しても貴重品を盗まれるのを防ぐことができるし、また子供などが第２の部屋Ｂに閉じ込められたりするおそれがなくなってより安全である。
【００６０】
また、電気式ロック装置１０はドア１ａ〜１ｄに取り付けられていたが、扉枠３や壁２に電気式ロック装置１０を設けてドア１ａ〜１ｄにロックボルト１３が挿入される受穴２６を形成してもよく、ドア１ａ〜１ｄに加工する必要がないため強度を確保することができる。また、ドア１ａ〜１ｄの施錠は電気式ロック装置１０によるものに限られず、室外側に鍵穴を設けないものであれば室内側には鍵穴を備えていてもよい。
【００６１】
また電気式ロック装置１０は、ドア１ａ〜１ｄの上下にそれぞれ１個づつ設けるなど、複数個の電気式ロック装置１０を設けてもよい。
【００６２】
また、ドア１ａ〜１ｄは室内側に開閉可能に構成されており、室外側から入るときはドア１ａ〜１ｄを押して開け、室内側から出るときはこのドアクローザ６によってドア１ａ〜１ｄを閉める。さらに、ドアクローザ６によってドア１ａを開放した状態に保持することもでき、日常的に頻繁に使用する場合はドア１ａ〜１ｄを開放しておくこともできる。
【００６３】
また、ドア１ａ〜１ｄは、壁２の出入口に設けられたドア枠３に取付けられているが、ドア枠３でなく直に壁２に取り付けてもよい。
【００６４】
本発明に係る隠れ部屋のドア構造は、例えば図１１に示すごとく、ウォークインクローゼットのドアなどに用いるとよい。
【図面の簡単な説明】
【００６５】
【図１】本発明の第１の実施形態に係る隠れ部屋のドア構造の断面図
【図２】第１の実施形態に係る隠れ部屋のドア構造の設置例を示す図
【図３】第１の実施形態に係る隠れ部屋のドア構造の別の設置例を示す図
【図４】本発明の第２の実施形態に係る隠れ部屋のドア構造の断面図
【図５】第２の実施形態に係る隠れ部屋のドア構造の設置例を示す図
【図６】本発明の第３の実施形態に係る隠れ部屋のドア構造の断面図
【図７】第３の実施形態に係る隠れ部屋のドア構造の別の実施例を示す断面図
【図８】第３の実施形態に係る隠れ部屋のドア構造の正面図
【図９】本発明の第４の実施形態に係る隠れ部屋のドア構造の断面図
【図１０】第４の実施形態に係る隠れ部屋のドア構造の正面図
【図１１】本発明に係る隠れ部屋のドア構造の設置例を示す図
【符号の説明】
【００６６】
１ａ〜１ｄ  ドア
２    壁
３    ドア枠
４    ヒンジ
５    引き手
６    ドアクローザ
１０  電気式ロック装置
１１  電源
１２  受信部
１３  ロックボルト
１４  駆動部
１５  ロック制御装置
２０  フロント部
２１  つば部
２２  表板
２３  ドアフレーム
２４  外装材
２５  逃げ部
２６  受穴
２７  半透明板
２８  耐衝撃性板
３０  家具状構造体
３１  側面板
３２  扉板
３３  ヒンジ
３４  ビス
３５ａ〜３５ｃ  引き手
３６  内装材
３７  棚板
３８  固定手段
Ａ    第１の部屋
Ｂ    第２の部屋
Ｃ    家具
Ｄ    額縁
【図２】
2006316435.tif 000003
【図１１】
2006316435.tif 000004
【図１】
2006316435.tif 000005
【図３】
2006316435.tif 000006
【図４】
2006316435.tif 000007
【図５】
2006316435.tif 000008
【図６】
2006316435.tif 000009
【図７】
2006316435.tif 000010
【図８】
2006316435.tif 000011
【図９】
2006316435.tif 000012
【図１０】
2006316435.tif 000013